(57)【要約】【課題】簡単な構造を維持しつつ、用紙のコックリングを抑制することができるインクジェット記録装置を提供する。【解決手段】インクジェット記録装置１１は、搬送路１３と、搬送路１３上で用紙Ｓを送り方向Ｆに送るための送り機構１６と、用紙Ｓに対して液滴を着弾させるインクジェットヘッド１２と、用紙Ｓを搬送路１３に向けて吸引する吸引機構１７と、用紙Ｓの用紙情報および用紙Ｓに形成される画像情報のいずれかに基づいて、液滴が着弾された用紙Ｓに発生する波うちの程度を予測し、波うちの程度に応じて吸引機構１７の吸引力を制御する制御機構１８と、を具備する。【選択図】図１
2009083480.tif 000002
【特許請求の範囲】
【請求項１】
搬送路と、
前記搬送路上で用紙を送り方向に送るための送り機構と、
前記用紙に対して液滴を着弾させるインクジェットヘッドと、
前記用紙を前記搬送路に向けて吸引する吸引機構と、
前記用紙の用紙情報および前記用紙に形成される画像情報のいずれかに基づいて、前記液滴が着弾された前記用紙に発生する波うちの程度を予測し、前記波うちの程度に応じて前記吸引機構の吸引力を制御する制御機構と、
を具備することを特徴とするインクジェット記録装置。
【請求項２】
前記制御機構は、
前記用紙に着弾される液滴の分布密度から印字率を算出するとともに、前記印字率が所定のしきい値を上回るか否かを判別する印字率算出部と、
前記印字率が所定のしきい値を上回ると判別されたときに前記吸引機構の吸引力を第１の吸引力とするとともに、前記印字率が前記しきい値を下回ると判別されたときに前記吸引機構の吸引力を前記第１の吸引力よりも小さい第２の吸引力にする駆動部と、
を有することを特徴とする請求項１に記載のインクジェット記録装置。
【請求項３】
前記制御機構は、
前記液滴によって前記用紙上に形成されるものが文字か、画像かを判別する判別部と、
前記用紙上に形成されるものが文字であると判別されたときに前記吸引機構の吸引力を第２の吸引力にするとともに、前記用紙上に形成されるものが画像であると判別されたときに前記吸引機構の吸引力を前記第２の吸引力よりも大きい第１の吸引力にする駆動部と、
を有することを特徴とする請求項１に記載のインクジェット記録装置。
【請求項４】
前記制御機構は、
前記用紙の厚さが所定のしきい値を上回る否かを判別する判別部と、
前記用紙の厚さが前記しきい値を上回ると判別されたときに前記吸引機構の吸引力を第１の吸引力にするとともに、前記用紙の厚さが前記しきい値を下回ると判別されたときに前記吸引機構の吸引力を前記第１の吸引力よりも小さい第２の吸引力にする駆動部と、
を有することを特徴とする請求項１に記載のインクジェット記録装置。
【請求項５】
前記制御機構は、
前記用紙の重さが所定のしきい値を上回る否かを判別する判別部と、
前記用紙の重さが前記しきい値を上回ると判別されたときに前記吸引機構の吸引力を第１の吸引力にするとともに、前記用紙の重さが前記しきい値を下回ると判別されたときに前記吸引機構の吸引力を前記第１の吸引力よりも小さい第２の吸引力にする駆動部と、
を有することを特徴とする請求項１に記載のインクジェット記録装置。
【請求項６】
用紙の用紙情報および用紙に形成される画像情報のいずれかに基づいて、液滴が着弾された前記用紙に発生する波うちの程度を予測し、前記波うちの大小に応じて、異なる吸引力を用紙に作用させることで前記用紙を搬送路に向けて吸引させ、インクジェットヘッドから前記用紙に液滴を着弾させることを特徴とする画像形成方法。
【請求項７】
前記用紙に着弾される液滴の分布密度から印字率を算出するとともに、前記印字率が所定のしきい値を上回るか否かを判別した後、前記印字率が所定のしきい値を上回るときに吸引力を第１の吸引力にするとともに、前記印字率が前記しきい値を下回るときに吸引力を前記第１の吸引力よりも小さい第２の吸引力にすることを特徴とする請求項６に記載の画像形成方法。
【請求項８】
前記液滴によって前記用紙上に形成されるものが文字か、画像かを判別した後、前記用紙上に形成されるものが文字であると判別されたときに吸引力を第２の吸引力にするとともに、前記用紙上に形成されるものが画像であると判別されたときに吸引力を前記第２の吸引力よりも大きい第１の吸引力にすることを特徴とする請求項６に記載の画像形成方法。
【請求項９】
前記用紙の厚さが所定のしきい値を上回る否かを判別した後、前記用紙の厚さが所定のしきい値を上回ると判別されたときに吸引力を第１の吸引力にするとともに、前記用紙の厚さが所定のしきい値を下回ると判別されたときに吸引力を前記第１の吸引力よりも小さい第２の吸引力にすることを特徴とする請求項６に記載の画像形成方法。
【請求項１０】
前記用紙の重さが所定のしきい値を上回る否かを判別した後、前記用紙の重さが所定のしきい値を上回ると判別されたときに吸引力を第１の吸引力にするとともに、前記用紙の重さが所定のしきい値を下回ると判別されたときに吸引力を前記第１の吸引力よりも小さい第２の吸引力にすることを特徴とする請求項６に記載の画像形成方法。
【請求項１１】
搬送路と、
前記搬送路上で用紙を送り方向に送るための送り手段と、
前記用紙に対して液滴を着弾させる液吐出手段と、
前記用紙を前記搬送路に向けて吸引する吸引手段と、
前記用紙の用紙情報および前記用紙に形成される画像情報のいずれかに基づいて、前記液滴が着弾された前記用紙に発生する波うちの程度を予測し、前記波うちの程度に応じて前記吸引機構の吸引力を制御する制御手段と、
を具備することを特徴とする記録装置。
【請求項１２】
前記制御手段は、
前記用紙に着弾される液滴の分布密度から印字率を算出するとともに、前記印字率が所定のしきい値を上回るか否かを判別する印字率算出部と、
前記印字率が所定のしきい値を上回ると判別されたときに前記吸引手段の吸引力を第１の吸引力にするとともに、前記印字率が前記しきい値を下回ると判別されたときに前記吸引手段の吸引力を前記第１の吸引力よりも小さい第２の吸引力にする駆動部と、
を有することを特徴とする請求項１１に記載の記録装置。
【請求項１３】
前記制御手段は、
前記液滴によって前記用紙上に形成されるものが文字か、画像かを判別する判別部と、
前記用紙上に形成されるものが文字であると判別されたときに前記吸引機構の吸引力を第２の吸引力にするとともに、前記用紙上に形成されるものが画像であると判別されたときに前記吸引機構の吸引力を前記第２の吸引力よりも大きい第１の吸引力にする駆動部と、
を有することを特徴とする請求項１１に記載の記録装置。
【請求項１４】
前記制御機構は、
前記用紙の厚さが所定のしきい値を上回る否かを判別する判別部と、
前記用紙の厚さが前記しきい値を上回ると判別されたときに前記吸引機構の吸引力を第１の吸引力にするとともに、前記用紙の厚さが前記しきい値を下回ると判別されたときに前記吸引機構の吸引力を前記第１の吸引力よりも小さい第２の吸引力にする駆動部と、
を有することを特徴とする請求項１１に記載の記録装置。
【請求項１５】
前記制御機構は、
前記用紙の重さが所定のしきい値を上回る否かを判別する判別部と、
前記用紙の重さが前記しきい値を上回ると判別されたときに前記吸引機構の吸引力を第１の吸引力にするとともに、前記用紙の重さが前記しきい値を下回ると判別されたときに前記吸引機構の吸引力を前記第１の吸引力よりも小さい第２の吸引力にする駆動部と、
を有することを特徴とする請求項１１に記載の記録装置。
【発明の詳細な説明】
【技術分野】
【０００１】
本発明は、インクジェットヘッドを有するインクジェット記録装置およびインクジェットヘッドを用いた画像形成方法および記録装置に関するものである。
【背景技術】
【０００２】
インクジェット方式で用紙に画像を形成する場合に、多量のインクを吸収した用紙が波状に膨らむコックリング現象を生ずることがある。日本の特開２００６−２８９９５５号公報に、このコックリング現象を防止した記録装置が開示されている。この記録装置は、制御部と、用紙を吸引保持する吸引ユニットと、吸引ユニットの上流側から下流側に用紙を搬送する用紙搬送手段と、吸引手段の吸引力を変更するユーザインターフェースと、を有している。
【０００３】
この記録装置では、ユーザは、パーソナルコンピュータなどのユーザインターフェースを介して、用紙の種類を入力する。パーソナルコンピュータにインストールされたプリンタドライバは、制御部に出力を行い、制御部は、吸引ユニットの吸引力を調整する。これによって、コックリングの大きい普通紙には強い吸引力を作用させる。また、コックリングの小さいインクジェット専用紙には、弱い吸引力を作用させる（例えば、特許文献１参照）。
【特許文献１】特開２００６−２８９９５５号公報
【発明の開示】
【発明が解決しようとする課題】
【０００４】
しかしながら、上記記録装置では、印刷のたびにユーザインターフェースを介して用紙の種類を選択する必要があり、印刷を指示するための操作が煩雑になっていた。
【０００５】
本発明の目的は、簡単な構造を維持しつつ、用紙のコックリングを抑制することができるインクジェット記録装置を提供することにある。
【課題を解決するための手段】
【０００６】
前記目的を達成するため、本発明の一つの形態に係るインクジェット記録装置は、搬送路と、前記搬送路上で用紙を送り方向に送るための送り機構と、前記用紙に対して液滴を着弾させるインクジェットヘッドと、前記用紙を前記搬送路に向けて吸引する吸引機構と、前記用紙の用紙情報および前記用紙に形成される画像情報のいずれかに基づいて、前記液滴が着弾された前記用紙に発生する波うちの程度を予測し、前記波うちの程度に応じて前記吸引機構の吸引力を制御する制御機構と、を具備する。
【０００７】
前記目的を達成するため、本発明の一つの形態に係る画像形成方法は、用紙の用紙情報および用紙に形成される画像の画像情報のいずれかに基づいて、液滴が着弾された前記用紙に発生する波うちの程度を予測し、前記波うちの程度に応じて、異なる吸引力を用紙に作用させることで前記用紙を搬送路に向けて吸引させ、インクジェットヘッドから前記用紙に液滴を着弾させる。
【０００８】
前記目的を達成するため、本発明の一つの形態に係る記録装置は、搬送路と、前記搬送路上で用紙を送り方向に送るための送り手段と、前記用紙に対して液滴を着弾させる液吐出手段と、前記用紙を前記搬送路に向けて吸引する吸引手段と、前記用紙の用紙情報および前記用紙に形成される画像情報のいずれかに基づいて、前記液滴が着弾された前記用紙に発生する波うちの程度を予測し、前記波うちの程度に応じて前記吸引機構の吸引力を制御する制御手段と、を具備することを特徴とする。
【発明の効果】
【０００９】
本発明によれば、簡単な構造を維持しつつ、用紙のコックリングを抑制することができるインクジェット記録装置を提供できる。
【発明を実施するための最良の形態】
【００１０】
以下図面を参照して、この発明のインクジェット記録装置について説明する。
【００１１】
図１に示すように、インクジェット記録装置１１は、用紙Ｓに液滴を着弾させるインクジェットヘッド１２と、用紙Ｓが送られる搬送路１３と、搬送路１３に用紙Ｓを供給する給紙部１４と、画像が形成された用紙Ｓを搬送路１３から回収する排紙部１５と、搬送路１３上で用紙を送り方向Ｆに送る送り機構１６と、用紙Ｓを搬送路１３に向けて吸引する吸引機構１７と、インクジェットヘッド１２、送り機構１６、および吸引機構１７を統括的に制御する制御機構１８と、を具備している。
【００１２】
インクジェットヘッド１２は、用紙Ｓに対して液滴、つまりインク滴を吐出することができる。インクジェットヘッド１２は、インクを吐出するための図示しない複数のノズルを有している。インクジェットヘッド１２は、例えば、駆動素子として機能するＰＺＴ（チタン酸ジルコン酸鉛）製の圧電素子を有している。圧電素子に電圧を印加すると、圧電素子は変形してノズルに対応する圧力室の内部の圧力を増加させる。これによって、ノズルから用紙に向かって、液滴が吐出される。
【００１３】
送り機構１６は、用紙Ｓを送り方向Ｆに沿って送るための複数の駆動ローラ１６Ａを有している。吸引機構１７は、複数の吸引ノズル２１と、吸引ノズル２１と連通する負圧室２２と、負圧室２２内を負圧にするファン２３と、を有している。ファン２３の回転により、吸引ノズル２１から負圧室２２内に空気が吸引され、その結果、用紙Ｓは搬送路１３に密着される。
【００１４】
制御機構１８は、インクジェット記録装置１１の各部の駆動を制御するだけでなく、用紙Ｓに形成される画像情報に基づいて、液滴が着弾された用紙Ｓに発生する波うち（cockling）の程度を予測する。制御機構１８は、印字率を算出する印字率算出部２４と、印字率算出部２４で算出した印字率に基づいて吸引機構１７の吸引力を制御する駆動部２５と、を有している。
【００１５】
続いて、インクジェット記録装置１１を用いた画像形成方法について説明する。印字率算出部２４は、用紙Ｓに着弾される液滴の分布密度から印字率を算出する。この印字率は、紙面全体に対して、実際に液滴によって紙面上にドットが形成された部分の比率を百分率で示すものである。図２に示すように、印字率は、例えば、用紙Ｓの送り方向Ｆに沿って分割されたブロック２６毎に算出される。また、印字率は、各色を含めた総ドットに基づいて算出される。
【００１６】
印字率算出部２４は、各ブロック２６から算出された印字率を比較して、最大のものを抽出する。印字率算出部２４は、例えば２０％の値をしきい値として、算出された印字率のうち最大のものが、しきい値である２０％の値を上回るか否かを判断する。印字率算出部２４は、この判別結果を駆動部２５に送る。駆動部２５は、印字率がしきい値である２０％の値を上回るときに、吸引機構１７の吸引力を、第１の吸引力である例えば−１００Ｐａの負圧に制御する。駆動部２５は、印字率が２０％の値を下回るときに、吸引機構１７の吸引力を第２の吸引力である例えば−７Ｐａの負圧に制御する。
【００１７】
これによって、波うちが大きくなると予想される印字率の高い用紙Ｓには大きな吸引力が作用する。このため、この用紙Ｓは、搬送路１３に向かって強い力で吸引される。一方、波うちが小さくなると予想される印字率の低い用紙Ｓには小さな吸引力が作用する。このため、この用紙Ｓは、搬送路１３に向かって弱い力で吸引される。以上より、用紙Ｓが搬送路１３から浮き上がってしまうことが防止される。この状態で、インクジェットヘッド１２は、用紙Ｓに液滴を着弾させる。
【００１８】
なお、本実施形態では、印字率のしきい値を２０％とし、吸引力を２段階としているが、印字率のしきい値を２つ設定し、吸引力を３段階に設定してもよい。
【００１９】
第１の実施形態によれば、インクジェット記録装置１１は、搬送路１３と、搬送路１３上で用紙を送り方向Ｆに送るための送り機構１６と、用紙Ｓに対して液滴を着弾させるインクジェットヘッド１２と、用紙Ｓを搬送路１３に向けて吸引する吸引機構１７と、用紙Ｓに形成される画像情報のいずれかに基づいて、液滴が着弾された用紙Ｓに発生する波うちの程度を予測し、波うちの大小に応じて吸引機構１７の吸引力を制御する制御機構１８と、を具備する。
【００２０】
また、制御機構１８は、用紙Ｓに着弾される液滴の分布密度から印字率を算出するとともに、印字率が所定のしきい値を上回るか否かを判別する印字率算出部２４と、印字率が所定のしきい値を上回ると判別されたときに吸引機構１７の吸引力を第１の吸引力にするとともに、印字率がしきい値を下回ると判別されたときに吸引機構１７の吸引力を第１の吸引力よりも小さい第２の吸引力にする駆動部２５と、を有する。
【００２１】
これらの構成によれば、制御機構１８の印字率算出部２４は、用紙Ｓに形成される画像情報である印字率に基づいて、用紙Ｓに発生する波うちの量を予測して、吸引機構１７の吸引力を制御する。これによって、波うちの程度が大きい用紙には大きい吸引力を作用させて用紙Ｓを搬送路１３に密着させるとともに、波うちの程度が小さい用紙Ｓには小さい吸引力を作用させて用紙Ｓの吸引が強くなりすぎないようにできる。こうして、インクジェットヘッド１２と用紙Ｓの間のペーパーギャップが適正に管理され、高い精度で用紙Ｓ上に画像を形成することができる。
【００２２】
このようなペーパーギャップの管理は、各色に対応する複数のインクジェットヘッドを送り方向Ｆに沿うように並べて配置する場合に特に有効である。また、上記の構成によれば、印刷のたびにユーザに判断を求める必要がないため、印刷作業を簡易かつ迅速に行うことができる。
【００２３】
続いて、図３を参照して、インクジェット記録装置の第２の実施形態について説明する。第２の実施形態のインクジェット記録装置１１は、制御機構３１の構成が第１の実施形態と異なっているが、他の部分は第１の実施形態と共通している。このため、主として第１の実施形態と異なる部分について説明し、共通する箇所については共通の符号を付して説明を省略する。
【００２４】
第２の実施形態のインクジェット記録装置１１の制御機構３１は、液滴によって用紙上に形成されるものが文字か、画像かを判別する判別部３２と、吸引機構１７の吸引力を制御する駆動部２５と、を有する。
【００２５】
続いて、インクジェット記録装置１１に用いられる画像形成方法について説明する。まず、判別部３２は、制御機構３１からインクジェットヘッド１２の図示しないヘッドドライバに印刷情報を送る際に、その印刷情報を取得して、用紙Ｓに形成されるものが文字なのか画像なのかを判断する。
【００２６】
駆動部２５は、判別部３２において用紙Ｓ上に形成されるものが文字であると判別されたときに吸引機構１７の吸引力を第２の吸引力である例えば−７Ｐａの負圧に制御する。また、駆動部２５は、判別部３２において用紙Ｓ上に形成されるものが画像であると判別されたときに吸引機構１７の吸引力を第１の吸引力である例えば−１００Ｐａの負圧に制御する。
【００２７】
これによって、用紙Ｓの波うちが大きくなると予想される画像を印刷する場合には、吸引機構１７による吸引力が大きくなる。このため、用紙Ｓは、搬送路１３に向かって強い力で吸引される。一方、用紙Ｓの波うちが小さくなると予想される文字等を印刷する場合には、吸引機構１７による吸引力が小さくなる。このため、用紙Ｓは、搬送路１３に向かって弱い力で吸引される。以上より、用紙Ｓが搬送路１３から浮き上がってしまうことが防止される。この状態で、インクジェットヘッド１２は、用紙Ｓに液滴を着弾させる。
【００２８】
第２の実施形態によれば、制御機構３１は、液滴によって用紙Ｓ上に形成されるものが文字か、画像かを判別する判別部３２と、用紙Ｓ上に形成されるものが文字であると判別されたときに吸引機構１７の吸引力を小さくするとともに、用紙Ｓ上に形成されるものが画像であると判別されたときに吸引機構１７の吸引力を大きくする駆動部２５と、を有する。
【００２９】
用紙Ｓに写真などの画像を形成する際には、記録密度は高くなり、用紙Ｓに文字、記号等を形成する際には、記録密度は低くなることが一般的である。この構成によれば、用紙Ｓに形成されるものが文字か画像かを判別することによって、記録密度の高低を簡単に判断して、吸引機構１７の吸引力を適正に設定することができる。これによって、インクジェットヘッド１２と用紙Ｓの間のペーパーギャップを適正に管理することができる。
【００３０】
続いて、図４を参照して、インクジェット記録装置の第３の実施形態について説明する。第３の実施形態のインクジェット記録装置４１は、センサ４２を有している点および制御機構４３の構成が第１の実施形態と異なっているが、他の部分は第１の実施形態と共通している。このため、主として第１の実施形態と異なる部分について説明し、共通する箇所については共通の符号を付して説明を省略する。
【００３１】
第３の実施形態のインクジェット記録装置４１は、用紙Ｓに液滴を吐出するインクジェットヘッド１２と、用紙Ｓが送られる搬送路１３と、搬送路１３に用紙Ｓを供給する給紙部１４と、画像が形成された用紙Ｓを搬送路１３から回収する排紙部１５と、用紙Ｓを搬送路１３に沿って送る送り機構１６と、用紙Ｓを搬送路１３に向けて吸引する吸引機構１７と、搬送路１３上を送られる用紙Ｓの厚みを検出するセンサ４２と、インクジェットヘッド１２、送り機構１６、吸引機構１７およびセンサ４２を統括的に制御する制御機構４３と、を具備している。
【００３２】
センサ４２は、例えば、レーザ変位計で構成されている。センサ４２は、レーザ光によって、用紙Ｓの厚さを直接検出することができる。
【００３３】
制御機構４３は、用紙Ｓの厚さが所定のしきい値を上回る否かを判別する判別部３２と、吸引機構１７の吸引力を制御する駆動部２５と、を有している。
【００３４】
続いて、インクジェット記録装置４１に用いられる画像形成方法について説明する。まず、判別部３２は、例えば、１００μｍをしきい値として、用紙Ｓの厚さが１００μｍを上回るか否かを判別する。センサ４２によって検出された用紙Ｓの厚さが１００μｍを上回ると判別部３２で判別された場合には、駆動部２５は、吸引機構１７の吸引力を第１の吸引力である例えば−１００Ｐａの負圧に制御する。また、用紙Ｓの厚さが１００μｍを下回ると判別部３２で判別された場合には、駆動部２５は、吸引機構１７の吸引力を第２の吸引力である例えば−７Ｐａの負圧に制御する。
【００３５】
これによって、波うちの補正に大きな力が必要とされる厚い用紙Ｓに対しては、吸引機構１７による吸引力を大きくなる。これによって、この用紙Ｓは、搬送路１３に向かって強い力で吸引される。一方、波うちの補正に小さな力で十分な薄手の用紙Ｓに対しては、吸引機構１７による吸引力を小さくなる。これによって、この用紙Ｓは、搬送路１３に向かって弱い力で吸引される。以上より、用紙Ｓが搬送路１３から浮き上がってしまうことが防止される。この状態で、インクジェットヘッド１２は、用紙Ｓに液滴を着弾させる。
【００３６】
なお、本実施形態では、用紙Ｓの厚さのしきい値を１００μｍとし、吸引力を２段階としているが、用紙Ｓの厚さのしきい値を２つ設定し、吸引力を３段階に設定してもよい。
【００３７】
第３の実施形態によれば、インクジェット記録装置４１は、搬送路１３と、搬送路１３上で用紙Ｓを送り方向に送るための送り機構１６と、用紙Ｓに対して液滴を着弾させるインクジェットヘッド１２と、用紙Ｓを搬送路１３に向けて吸引する吸引機構１７と、用紙Ｓの用紙情報に基づいて、液滴が着弾された用紙Ｓに発生する波うちの程度を予測し、波うちの程度に応じて吸引機構１７の吸引力を制御する制御機構４３と、を具備する。
【００３８】
また、制御機構４３は、用紙Ｓの厚さが所定のしきい値を上回る否かを判別する判別部３２と、用紙Ｓの厚さがしきい値を上回ると判別されたときに吸引機構１７の吸引力を大きくするとともに、用紙Ｓの厚さがしきい値を下回ると判別されたときに吸引機構１７の吸引力を小さくする駆動部２５と、を有する。
【００３９】
これらの構成によれば、用紙Ｓの用紙情報である用紙Ｓの厚さに基づいて、用紙Ｓに発生する波うちの程度を予測して、用紙Ｓに作用させる吸引力を変化させることができる。これによって、波うちの補正に大きな力を要する厚手の用紙Ｓについては、用紙Ｓに作用させる吸引力を大きくして用紙Ｓを搬送路１３に密着させることができる。また、波うちの補正に大きな力を要しない薄手の用紙Ｓについては、小さい吸引力を作用させて用紙Ｓの吸引が強くなりすぎないようにできる。こうして、インクジェットヘッド１２と用紙Ｓの間のペーパーギャップを適正に管理して、高い精度で用紙Ｓ上に画像を形成することができる。
【００４０】
続いて、図４と図５を参照して、インクジェット記録装置の第４の実施形態について説明する。第４の実施形態のインクジェット記録装置４１は、用紙Ｓの重さをもとに用紙Ｓを判別する点で第３の実施形態と異なっているが、他の部分は第３の実施形態と共通している。このため、主として第３の実施形態と異なる部分について説明し、共通する箇所については共通の符号を付して説明を省略する。
【００４１】
第４の実施形態のインクジェット記録装置４１は、用紙Ｓに液滴を吐出するインクジェットヘッド１２と、用紙Ｓが送られる搬送路１３と、搬送路１３に用紙Ｓを供給する給紙部１４と、画像が形成された用紙Ｓを搬送路１３から回収する排紙部１５と、用紙Ｓを搬送路１３に沿って送る送り機構１６と、用紙Ｓを搬送路１３に向けて吸引する吸引機構１７と、搬送路１３上を送られる用紙Ｓの厚みを検出するセンサ４２と、インクジェットヘッド１２、送り機構１６、吸引機構１７およびセンサ４２を統括的に制御する制御機構４３と、を具備している。
【００４２】
センサ４２は、例えば、レーザ変位計で構成されている。センサ４２は、レーザ光によって、用紙Ｓの厚さを直接検出することができる。
【００４３】
制御機構４３は、用紙Ｓの坪量が所定のしきい値を上回る否かを判別する判別部３２と、吸引機構１７の吸引力を制御する駆動部２５と、を有している。坪量とは、用紙Ｓの単位面積当たりの重さである。
【００４４】
続いて、インクジェット記録装置４１に用いられる画像形成方法について説明する。まず、判別部３２は、センサ４２で検出した用紙Ｓの厚みの値に、予め測定しておいた用紙Ｓの密度の値を乗じて、用紙Ｓの坪量（ｇ／ｍ２）を算出する。さらに、判別部３２は、例えば１２０ｇ／ｍ２をしきい値として、用紙Ｓの坪量が１２０ｇ／ｍ２を上回るか否かを判別する。用紙Ｓの坪量が１２０ｇ／ｍ２を上回ると判別された場合には、判別部３２は、吸引機構１７の吸引力を第１の吸引力である例えば−１００Ｐａの負圧に制御する。また、用紙Ｓの坪量が１２０ｇ／ｍ２を下回ると判別された場合には、判別部３２は、吸引機構１７の吸引力を第２の吸引力である例えば−７Ｐａの負圧に制御する。
【００４５】
これによって、波うちの補正に大きな力が必要な重く剛性の高い用紙（厚紙）に対しては、吸引機構１７による吸引力を大きくする。これによって、用紙Ｓは、搬送路１３に向かって強い力で吸引される。一方、波うちの補正に小さな力で十分な軽く剛性の低い用紙（普通紙）に対しては、吸引機構１７による吸引力を小さくする。これによって、用紙Ｓは、搬送路１３に向かって弱い力で吸引される。以上より、用紙Ｓが搬送路１３から浮き上がってしまうことが防止される。この状態で、インクジェットヘッド１２は、用紙Ｓに液滴を着弾させる。
【００４６】
なお、本実施形態では、用紙Ｓの坪量のしきい値を１２０ｇ／ｍ２とし、吸引力を２段階としているが、用紙Ｓの坪量のしきい値を２つ設定し、吸引力を３段階に設定してもよい。
【００４７】
第４の実施形態によれば、制御機構４３は、用紙Ｓの重さが所定のしきい値を上回る否かを判別する判別部３２と、用紙Ｓの重さがしきい値を上回ると判別されたときに吸引機構１７の吸引力を大きくするとともに、用紙Ｓの重さがしきい値を下回ると判別されたときに吸引機構１７の吸引力を小さくする駆動部２５と、を有する。
【００４８】
この構成によれば、用紙Ｓの用紙情報である用紙Ｓの重さに基づいて、用紙Ｓに発生する波うちの程度を予測して、用紙Ｓに作用させる吸引力を変化させることができる。これによって、波うちの補正に大きな力を要する厚手の用紙Ｓについては、用紙Ｓに作用させる吸引力を大きくして用紙Ｓを搬送路１３に密着させることができる。また、波うちの補正に大きな力を要しない薄手の用紙Ｓについては、小さい吸引力を作用させて用紙Ｓの吸引が強くなりすぎないようにできる。こうして、インクジェットヘッド１２と用紙Ｓの間のペーパーギャップが適正に管理され、高い精度で用紙Ｓ上に画像を形成することができる。
【図面の簡単な説明】
【００４９】
【図１】第１の実施形態に係るインクジェット記録装置を示す模式図。
【図２】図１に示すインクジェット記録装置で使用される用紙の印字率を計算する際のブロック分割を示す上面図。
【図３】第２の実施形態に係るインクジェット記録装置を示す模式図。
【図４】第３、第４の実施形態に係るインクジェット記録装置を示す模式図。
【図５】図５は、日本、北米、欧州において、ユーザが入手可能な用紙を対比した表図。
【符号の説明】
【００５０】
１１、４１…インクジェット記録装置、１２…インクジェットヘッド、１３…搬送路、１６…送り機構、１７…吸引機構、１８…制御機構、２４…印字率算出部、２５…駆動部、３１、４３…制御機構、３２…判別部、４２…センサ、Ｓ…用紙、Ｆ…送り方向
【図１】
2009083480.tif 000003
【図２】
2009083480.tif 000004
【図３】
2009083480.tif 000005
【図４】
2009083480.tif 000006
【図５】
2009083480.tif 000007